(57)【要約】【課題】企業ユーザが、２４時間、３６５日、いつでも自社のリリース情報を公開することができるリリース情報公開システムの実現。【解決手段】センターサーバ12と公開サーバ28を備えたリリース情報公開システム10であって、センターサーバ12は、登録用フォーム50を企業端末22に送信してリリース情報の入力を求め、同端末22から送信されたリリース情報の記載内容をチェックし、機種依存文字が含まれている場合にはエラーメッセージを送信してリリース情報の修正入力を促し、含まれていない場合にはリリース情報をリリース情報記憶部16に格納するリリース情報登録部14と、リリース情報を公開サーバ28に送信するリリース情報配信部18を備え、公開サーバ28は、センターサーバ12から送信されたリリース情報を格納しておく記憶部と、ユーザ端末24に各リリース情報のリストを記載したリリース情報公開用のWebファイルを送信する機能を備えた。【選択図】図１
2011013709.tif 000002
【特許請求の範囲】
【請求項１】
センターサーバと、公開サーバとを備えたリリース情報公開システムであって、
上記センターサーバは、会員企業のクライアント端末からリリース情報の登録リクエストが送信された場合に、所定の登録用フォームを当該クライアント端末に送信し、リリース情報の入力を求める手段と、
上記クライアント端末から送信されたリリース情報の記載内容を検査し、予め定義された記載要件を充足しているか否かを判定する手段と、
記載要件を充足していない場合には、エラーメッセージを上記クライアント端末に送信して、リリース情報の修正入力を促す手段と、
記載要件を充足している場合には、送信されたリリース情報を当該企業の識別コードに関連付けてリリース情報記憶部に格納する手段と、
リリース情報に設定された公開日時の経過後、当該リリース情報を上記公開サーバに送信する手段を備え、
上記公開サーバは、センターサーバから送信されたリリース情報をリリース情報記憶部に格納する手段と、
一般ユーザのクライアント端末からリリース情報の配信リクエストが送信された場合に、各リリース情報の少なくとも一部からなるリストを記載したリリース情報公開用のWebファイルを生成し、上記クライアント端末に送信する手段と、
同クライアント端末からリスト中の特定のリリース情報について詳細情報の配信リクエストが送信された場合に、当該リリース情報の詳細情報を記載したWebファイルを生成し、上記クライアント端末に送信する手段と、
を備えたことを特徴とするリリース情報公開システム。
【請求項２】
上記リリース情報の登録用フォームには、上記会員企業のクライアント端末の入力装置を介して入力された文字列に対して、所定の修飾を施す機能を備えた制御プログラムが含まれており、
上記センターサーバは、当該クライアント端末から文字修飾に係る制御情報が送信された場合には、リリース情報の一部としてこれを上記リリース情報記憶部に格納し、
上記公開サーバは、当該文字修飾に係る制御情報を反映させたWebファイルを生成し、上記一般ユーザのクライアント端末に送信することを特徴とする請求項１に記載のリリース情報公開システム。
【請求項３】
上記リリース情報の登録用フォームには、上記会員企業のクライアント端末の入力装置を介して入力された文字列または文字列間の位置に対して、所定のリンクを施す機能を備えた制御プログラムが含まれており、
上記センターサーバは、当該クライアント端末からリンクに係る制御情報が送信された場合には、リリース情報の一部としてこれを上記リリース情報記憶部に格納し、
上記公開サーバは、当該リンクに係る制御情報を反映させたWebファイルを生成し、上記一般ユーザのクライアント端末に送信することを特徴とする請求項１または２に記載のリリース情報公開システム。
【請求項４】
会員企業の管理する企業サーバを備えており、
この企業サーバは、上記一般ユーザのクライアント端末から当該企業に係るリリース情報の送信リクエストが送信された場合に、対応のWebファイルを生成し、クライアント端末に送信する機能を備えており、
この企業サーバから送信されたWebファイルには、当該企業の識別コードを上記センターサーバに送信して、当該企業に係るリリース情報の送信を求める機能を備えた制御プログラムが含まれており、
このWebファイルを受信したクライアント端末は、この制御プログラムに従って上記センターサーバに接続し、当該企業に係るリリース情報リストの送信をリクエストする処理と、
送信されたリリース情報リストを含むWebページをディスプレイに表示する処理を実行することを特徴とする請求項１〜３の何れかに記載のリリース情報公開システム。
【発明の詳細な説明】
【技術分野】
【０００１】
この発明はリリース情報公開システムに係り、特に、企業の新商品やサービス等を告知するためのリリース情報を、インターネットを介して広く一般に公開する技術に関する。
【背景技術】
【０００２】
企業の社会的認知度やイメージを向上させるためには、自社の企業姿勢や投資計画、他社との提携関係、新商品・新サービス等に関する情報をタイムリーに公開していくことが重要であり、特に最近では、新聞や雑誌といった媒体以上に、インターネット上のニュースサイトにおいて自社のリリース情報を公開することが重要視されるようになってきている。
【０００３】
このような社会的ニーズに応えるため、会員企業のコンピュータから送信されたリリース情報を、予め設定された日時経過後に自社Webサイトや提携ニュースサイト上で公開するサービスが既に存在し、多くの支持を集めている（以下の非特許文献１及び特許文献１参照）。
【０００４】
このリリース情報公開サービスに加盟すると、各会員企業に対しサービス運営会社からログインIDとパスワードが発行される。
会員企業の広報担当者は、このログインID及びパスワードを用いてサービスにログインし、所定の登録用フォームに必要事項を入力することにより、自社のリリース情報をサービスに登録する。
その後、自ら設定した公開日時が到来すると、自動的にリリース情報が各種Webサイト上で公開されることとなる。
【０００５】
従来、広告代理店やマスコミに対して強いコネクションを有さない中小・ベンチャー企業にとって、自社の企業情報を広く告知することは極めて困難であったが、このリリース情報公開サービスの登場により、企業規模の如何にかかわらず、企業情報を公開する機会を多くの企業に提供することが可能となった。
また、本来であれば埋もれてしまう企業情報に接する機会が与えられるため、面白いネタを常に探している記者や媒体からも、このサービスは注目に値する情報源として認知されている。
【０００６】
【非特許文献１】ニュースリリースポータル ニューズ・ツー・ユー・ネット インターネットURL:http://www.news2u.net/ 検索日：平成２１年６月１０日
【特許文献１】特開２００７−１８３８３号
【発明の開示】
【発明が解決しようとする課題】
【０００７】
このように、従来のリリース情報公開サービスは、企業情報の公開手段として高く評価される一方で、以下のような課題が残されていた。
まず、会員企業の担当者が入力したリリース情報中に丸付き数字やローマ数字などの所謂「機種依存文字」が混入していると、リリース情報として公開された際に文字化けする可能性があるため、サービス運営会社の管理スタッフによる事前チェックが不可欠とされ、このため新規リリース情報の公開は同社の営業時間内に限定されていた。この結果、企業の不祥事報道に対する釈明文のように、一刻も早くリリースする必要性があるにもかかわらず、営業時間が来るまで公開できないという問題があった。
【０００８】
また、サービス運営会社のWebサイトにおいて公開された自社のリリース情報を、自社Webサイトにおいても同時に掲載したいという要望を各会員企業は有しているが、これを実現することは容易でなかった。
すなわち、サービス運営会社から会員企業に対しては、データのハンドリング性を考慮し、XML形式でリリース情報が配信されるのが一般的であるため、これを各企業のWebページの構造に合わせてHtml形式に変換する機能を備えた専用のプログラムを開発し、自社のWebサーバに組み込む必要があり、会員企業にとって大きな負担となっていた。
【０００９】
さらに、リリース情報の入力はプレーンテキストに限定されており、太字やアンダーライン、斜体、着色等の文字装飾、動画・静止画の挿入が一切認められず、見映えのするリリース情報を作成できなかった。
入力したテキストにリンクを張ることもできないため、例えば閲覧の事実を確認するのに役立つ「Webビーコン（beacon）」の埋め込みも不可能であった。
【００１０】
この発明は、従来のシステムが抱える上記の課題を解決するために案出されたものであり、会員企業の担当者が、サービス運営会社の営業時間を考慮することなく、２４時間、３６５日、いつでも自社のリリース情報を公開することを可能とするシステムの実現を目的としている。
この発明は、また、特別の変換プログラムを用意することなく、サービス運営会社のWebサイトにおいて公開されたリリース情報を、会員企業のWebサイトにおいても同時に公開可能とするシステムの実現を目的としている。
この発明は、さらに、リリース情報の入力に際して一定の文字装飾、動画・静止画の挿入やリンクをテキストに施すことを可能とするシステムの実現を目的としている。
【課題を解決するための手段】
【００１１】
上記の目的を達成するため、請求項１に記載したリリース情報公開システムは、センターサーバと、公開サーバとを備えており、上記センターサーバは、会員企業のクライアント端末からリリース情報の登録リクエストが送信された場合に、所定の登録用フォームを当該クライアント端末に送信し、リリース情報の入力を求める手段と、上記クライアント端末から送信されたリリース情報の記載内容を検査し、予め定義された記載要件を充足しているか否かを判定する手段と、記載要件を充足していない場合には、エラーメッセージを上記クライアント端末に送信して、リリース情報の修正入力を促す手段と、記載要件を充足している場合には、送信されたリリース情報を当該企業の識別コードに関連付けてリリース情報記憶部に格納する手段と、リリース情報に設定された公開日時の経過後、当該リリース情報を上記公開サーバに送信する手段を備え、上記公開サーバは、センターサーバから送信されたリリース情報をリリース情報記憶部に格納する手段と、一般ユーザのクライアント端末（PC、PDA、携帯電話等）からリリース情報の配信リクエストが送信された場合に、各リリース情報の少なくとも一部からなるリストを記載したリリース情報公開用のWebファイルを生成し、上記クライアント端末に送信する手段と、同クライアント端末からリスト中の特定のリリース情報について詳細情報の配信リクエストが送信された場合に、当該リリース情報の詳細情報を記載したWebファイルを生成し、上記クライアント端末に送信する手段を備えたことを特徴としている。
【００１２】
請求項２に記載したリリース情報公開システムは、請求項１に記載のシステムであって、さらに上記リリース情報の登録用フォームには、上記会員企業のクライアント端末の入力装置を介して入力された文字列に対して、所定の修飾を施す機能を備えた制御プログラムが含まれており、上記センターサーバは、当該クライアント端末から文字修飾に係る制御情報が送信された場合には、リリース情報の一部としてこれを上記リリース情報記憶部に格納し、上記公開サーバは、当該文字修飾に係る制御情報を反映させたWebファイルを生成し、上記一般ユーザのクライアント端末に送信することを特徴としている。
上記「所定の修飾」としては、文字のフォント指定、ポイント指定、文字色指定、太字化指定、斜体化指定、下線付加指定、左寄せ指定、中寄せ指定、右寄せ指定等が該当する。
【００１３】
請求項３に記載したリリース情報公開システムは、請求項１または２に記載のシステムであって、さらに上記リリース情報の登録用フォームには、上記会員企業のクライアント端末の入力装置を介して入力された文字列または文字列間の位置に対して、所定のリンクを施す機能を備えた制御プログラムが含まれており、上記センターサーバは、当該クライアント端末からリンクに係る制御情報が送信された場合には、リリース情報の一部としてこれを上記リリース情報記憶部に格納し、上記公開サーバは、当該リンクに係る制御情報を反映させたWebファイルを生成し、上記一般ユーザのクライアント端末に送信することを特徴としている。
上記「所定のリンク」としては、動画サイトに登録した特定の動画ファイルのURLや、画像ファイル、文書ファイル、メールリンク、特定のWebファイルのURL等が該当する。
【００１４】
請求項４に記載したリリース情報公開システムは、請求項１〜３に記載のシステムであって、さらに、会員企業の管理する企業サーバを備えており、この企業サーバは、上記一般ユーザのクライアント端末から当該企業に係るリリース情報の送信リクエストが送信された場合に、対応のWebファイルを生成し、クライアント端末に送信する機能を備えており、この企業サーバから送信されたWebファイルには、当該企業の識別コードを上記センターサーバに送信して、当該企業に係るリリース情報の送信を求める機能を備えた制御プログラムが含まれており、このWebファイルを受信したクライアント端末は、この制御プログラムに従って上記センターサーバに接続し、当該企業に係るリリース情報リストの送信をリクエストする処理と、送信されたリリース情報リストを含むWebページをディスプレイに表示する処理を実行することを特徴としている。
【発明の効果】
【００１５】
請求項１に記載のリリース情報公開システムにあっては、会員企業のクライアント端末から送信されたリリース情報について、センターサーバにおいて「機種依存文字を含まないこと」といった記載要件の充足性について自動的にチェックがなされ、これをクリアしたもののみが公開サーバに送信され、一般公開の対象となる仕組みを備えている。このため、従来のようにサービス運営会社のスタッフが記載要件の充足性について事前に目視確認する必要がなくなり、会員企業はサービス運営会社の営業時間に拘束されることなく、いつでも自社のリリース情報を公開することが可能となる。
【００１６】
請求項２に記載のリリース情報公開システムによれば、会員企業の担当者はリリース情報の入力に際して文字修飾が可能となり、一般ユーザに対して配信されるWebファイルにはこの文字修飾が反映されるため、よりインパクトの強いリリース情報を公開可能となる。
【００１７】
請求項３に記載のリリース情報公開システムによれば、会員企業の担当者はリリース情報の入力に際して各種のリンク設定が可能となり、一般ユーザに対して配信されるWebファイルにはこのリンク設定が反映されるため、よりインパクトの強いリリース情報を公開可能となる。
【００１８】
請求項４に記載のリリース情報公開システムにあっては、会員企業の管理する企業サーバに格納されたWebファイルに予め制御プログラムが埋設されており、このWebファイルを一般ユーザのクライアント端末に搭載されたWebブラウザプログラムが読み込んだ際に、当該制御プログラムが起動してセンターサーバにアクセスし、当該企業のリリース情報リストを取得した後、当該リストを含むWebページが生成・表示される仕組みを備えている。このため、会員企業は従来のようにXMLデータをHtml形式に変換するためのプログラムを用意することなく、公開サーバにおいて公開された自社リリース情報と同一の情報を、自社のWebページ中において同時公開可能となる。
【発明を実施するための最良の形態】
【００１９】
図１は、この発明に係るリリース情報公開システム10の全体構成を示す機能ブロック図である。
このシステム10は、図示の通りセンターサーバ12を中心に構成されており、このセンターサーバ12は、リリース情報登録部14と、リリース情報記憶部16と、リリース情報配信部18と、企業別リリース情報供給部20とを備えている。
【００２０】
このセンターサーバ12は、Webサーバ機能、AP（Application）サーバ機能、DB（Database）サーバ機能等を備えており、実際には複数の専用サーバをネットワーク接続することによって構成されている。
また、上記リリース情報登録部14、リリース情報配信部18及び企業別リリース情報供給部20は、センターサーバ12を構成する各コンピュータのCPUが、OS及び専用のアプリケーションプログラムに従い必要な処理を実行することによって実現される。
さらに、上記リリース情報記憶部16は、同コンピュータのハードディスク内に設けられている。
【００２１】
上記のセンターサーバ12には、インターネット等の通信ネットワークを介して、会員企業のクライアント端末（以下「企業端末22」）、一般ユーザのクライアント端末（以下「ユーザ端末24」）、管理スタッフのクライアント端末（以下「管理端末26」）が接続されている。企業端末22、ユーザ端末24及び管理端末26には、Webブラウザプログラムが搭載されている。ユーザ端末24は、PCの他、PDAや携帯電話であってもよい。
【００２２】
センターサーバ12は、通信ネットワークを介して、公開サーバ28と接続されている。この公開サーバ28は、各会員企業のリリース情報を公開するWebサイト（公開サイト）を実現するためのWebサーバであり、サービス運営会社によって設置・管理されている。この公開サーバ28は、リリース情報記憶部16のレプリカ（複製情報）を内部に保持している。図示の便宜上、１つの公開サーバ28のみが描かれているが、実際には複数の公開サーバ28（PCサイト用の公開サーバ、携帯サイト用の公開サーバ等）が存在している。
【００２３】
センターサーバ12は、通信ネットワークを介して、提携ニュースサーバ30とも接続されている。この提携ニュースサーバ30は、サービス運営会社が提携しているニュースサイトのWebサーバであり、センターサーバ12から配信されたリリース情報を、独自の形式で公開する機能を果たす。この提携ニュースサーバ30も、実際には複数（例えば30機以上）存在している。
【００２４】
企業端末22及びユーザ端末24は、インターネットを介して、公開サーバ28、提携ニュースサーバ30及び企業サーバ32とも接続される。企業サーバ32は、リリース情報の提供主である会員企業自身が運営するWebサーバである。
【００２５】
このシステム10を利用してリリース情報の公開を希望する会員企業には、情報の信頼性を確保するため、事前に所定の認証機関における電子証明書を取得し、企業端末22にインストールしておくことが求められる。
【００２６】
ここで、会員企業が自社の新製品について情報発信を行う場合、まず担当者は企業端末22から公開サーバ28にアクセスする。
この結果、企業端末22のWebブラウザ上には、図２に示すように、各会員企業によってアップロードされたリリース情報40がリストアップされた新着リリース一覧画面42が表示される。
各リリース情報40は、タイトルやサブタイトル、画像、登録年月日等より構成される。
また、各リリース情報40のタイトル等をクリックすると、当該リリース情報40の詳細ページがWebブラウザ上に表示される（図示省略）。
【００２７】
ここで担当者が「会員企業ログイン」のアンカーテキスト44をクリックすると、認証情報入力フォーム46が表示される。
これに対し担当者が、ログインID及びパスワードの入力欄に必要な文字列を入力し、ログインボタンをクリックすると、入力データがセンターサーバ12のリリース情報登録部14に送信される。
【００２８】
これを受けたリリース情報登録部14は、企業端末22から送信されたID及びパスワードによって認証を行い、問題ない場合には当該会員企業専用の管理ページ（メンバー専用ページ）を企業端末22に送信する。
この結果、企業端末22のWebブラウザ上には管理ページが表示される（図示省略）。
【００２９】
ここで担当者は、管理ページの操作メニューの中から「リリース情報の登録」をクリックし、リリース情報の新規登録を要求する。
この結果、企業端末22のWebブラウザ上には、パーミッション認証ウィンドウが立ち上がる（図示省略）。これに対し担当者は、インストール済の電子証明書を選択する。
【００３０】
企業端末22から送信された電子証明書によって本人性が確認されると、リリース情報の登録処理が開始される。以下、図３のフローチャートに従い、リリース情報の登録から公開に至る処理手順を説明する。
まず、リリース情報登録部14から企業端末22にリリース情報登録用フォームが送信され（Ｓ10）、企業端末22のディスプレイに表示される。
【００３１】
図４はこのリリース情報登録用フォーム50を示すものであり、リリース内容入力欄52と、公開先選択欄54とを備えている。
また、リリース内容の入力欄52は、公開日時、タイトル、サブタイトル、本文の入力項目を備えている。
【００３２】
これに対し担当者は、公開日時、タイトル、サブタイトル、本文を入力する。
本文入力欄に関しては、各担当者は制御メニュー56に表示された各種ボタンをクリックすることにより、入力したプレーンテキストに対して様々な装飾を施したり、リンクを挿入したりすることが可能となる。以下に、具体例を列記する。
【００３３】
［文字装飾について］
(1) 入力した文字列を選択した状態でフォント選択ボタン57をクリックし、展開されるプルダウンメニューから好みのフォントを選択すると、選択文字列のフォントが変更される。
【００３４】
(2) 入力した文字列を選択した状態でポイント選択ボタン58をクリックし、展開されるプルダウンメニューから好みのポイント数を選択すると、選択文字列のポイント（大きさ）が変更される。
【００３５】
(3)入力した文字列を選択した状態で文字色選択ボタン59をクリックし、展開される文字色選択パレットから好みの文字色を選択すると、選択文字列の色が変更される。
【００３６】
(4) 入力した文字列を選択した状態で太字ボタン60をクリックと、選択文字列が太字化される。
【００３７】
(5) 入力した文字列を選択した状態で斜体ボタン61をクリックと、選択文字列が斜体化される。
【００３８】
(6) 入力した文字列を選択した状態で下線ボタン62をクリックと、選択文字列に下線が付加される。
【００３９】
(7) 入力した文字列を選択した状態で左寄せボタン63をクリックと、選択文字列が入力行の左端に移動する。
【００４０】
(8) 入力した文字列を選択した状態で中寄せボタン64をクリックと、選択文字列が入力行の中央部に移動する。
【００４１】
(9) 入力した文字列を選択した状態で右寄せボタン65をクリックと、選択文字列が入力行の右端に移動する。
【００４２】
［リンク挿入について］
(1) 動画リンクの挿入
リンクの挿入を希望する箇所にカーソルを合わせて動画挿入ボタン66をクリックすると、図示の通り、動画挿入用の入力フォーム67がポップアップ表示される。
これに対し担当者は、事前に動画ファイルをアップロードしておいた動画サイトの埋込み用タグを「動画サイトの埋込み用タグ」入力欄に貼り付け、挿入ボタンをクリックする。この結果、本文入力欄のカーソル位置に動画のサムネール画像が表示される（図示省略）。
この動画のサムネール画像には、動画サイトにおける対応動画のURLがリンクされているため、Webブラウザに表示された際にこれをクリックすると、当該動画サイトから対応の動画データがストリーミング配信され、Webブラウザ上に設けられた専用の再生プレーヤを介して再生される。
【００４３】
(2) 画像リンクの挿入
リンクの挿入を希望する箇所にカーソルを合わせて画像挿入ボタン68をクリックすると、図示は省略したが、画像挿入用の入力フォームがポップアップ表示される。
ここで担当者が「画像の選択」ボタンをクリックすると、ファイル選択ウィンドウがポップアップ表示される。これに対し担当者は、企業端末22のハードディスク等に格納された静止画像ファイルを選択する。また担当者は、「表示タイトル」入力欄に当該画像の表示タイトル（例えば「αの立体図」）を打鍵入力し、挿入ボタンをクリックする。この結果、本文入力欄のカーソル位置に任意の静止画像が表示タイトルと共に表示される。
担当者は、この静止画像ファイルとして所定のWebビーコンを指定すると共に、表示タイトル入力欄をブランクにしておくことにより、リリース情報にWebビーコンを埋設することも可能となる。
【００４４】
(3) ファイルの挿入
リンクの挿入を希望する箇所にカーソルを合わせてファイル挿入ボタン69をクリックすると、図示は省略したが、ファイル挿入用の入力フォームがポップアップ表示される。
ここで担当者が「ファイルの選択」ボタンをクリックすると、ファイル選択ウィンドウが表示される。これに対し担当者は、企業端末22のハードディスク等に格納されたPDFファイルやDOCファイル等を選択する。この結果、本文入力欄のカーソル位置に選択したファイル名（例えば「商品カタログ.pdf」）がクリッカブルに表示される。Webブラウザに表示された際にこのファイル名をクリックすると、当該ファイルのダウンロードが開始される。
【００４５】
(4) メールリンクの挿入
リンクの挿入を希望する箇所にカーソルを合わせてメールリンク挿入ボタン70をクリックすると、図示は省略したが、メールリンク挿入用の入力フォームがポップアップ表示される。
これに対し担当者は、「メールアドレス」入力欄に自社のメールアドレスを入力し、「表示タイトル」入力欄に「メールでのお問い合わせ」等の文字列を打鍵入力し、挿入ボタンをクリックすると、本文入力欄のカーソル位置に「メールでのお問い合わせ」のアンカーテキストが表示される。
このアンカーテキストには、上記のメールアドレスが関連付けられているため、Webブラウザに表示された際にこれをクリックすると、自動的に電子メールプログラムが起動し、宛先欄に上記メールアドレスが入力された新規メール作成画面が立ち上がる。
【００４６】
(5) Webページリンクの挿入
リンクの挿入を希望する箇所にカーソルを合わせてWebページリンク挿入ボタン71をクリックすると、図示は省略したが、Webページリンク挿入用の入力フォームがポップアップ表示される。
これに対し担当者は、リンク先のWebページのURLを「URL」入力欄に貼り付け、「表示タイトル」入力欄に当該Webページの表示タイトル「当社サイトへ」等を打鍵入力し、挿入ボタンをクリックすると、本文入力欄のカーソル位置に「当社サイトへ」のアンカーテキストが表示される。
このアンカーテキストには、上記のURLが関連付けられているため、Webブラウザに表示された際にこれをクリックすると、自動的に会員企業のWebページが表示される。
【００４７】
上記の文字列装飾化処理やリンク挿入処理は、Webフォーム50に記述されたJavaScript等による制御プログラムをWebブラウザが実行することによって実現される。
【００４８】
リリース情報の入力を完了した担当者は、公開先選択欄54において、当該リリース情報の配信先を選択する。
例えば、「News2uのPCサイト」のチェックボックスにチェックを入れると、PCサイト用公開サーバ28上のWebサイトでの公開を指定したことになる。
また、特定の「提携ニュースサイト」にチェックを入れると、選択した提携ニュースサーバ30上のWebサイトでの公開を指定したことになる。
さらに、「自社Webサイト」にチェックを入れると、企業サーバ32上のWebサイトでの公開を指定したことになる。
【００４９】
リリース情報の入力及び公開先の選択を完了した担当者は、登録ボタン72をクリックする。
この結果、入力したリリース情報（動画サイトの埋込み用タグ、画像ファイル、文書ファイル、メールアドレス、WebページのURLを含む）や配信先の選択情報が、企業端末22からリリース情報登録部14に送信される。
【００５０】
これを受けたリリース情報登録部14は（Ｓ12）、会員企業の担当者が入力したリリース情報について、必要的記載事項の欠落の有無、及び機種依存文字混入の有無をチェックし（Ｓ14）、必要的記載事項の欠落や機種依存文字の混入を発見した場合には、問題及び該当箇所を指摘するエラー表示画面を送信し（Ｓ16）、リリース情報の修正入力を促す。
【００５１】
例えば、エラー表示画面において、リリース情報の本文中に機種依存文字である「丸付き数字」や「ローマ数字」が含まれていることを指摘された会員企業は、該当箇所を他の文字列で置き換える修正を施し、再送信する。
【００５２】
これを受けたリリース情報登録部14は（Ｓ18）、必要的記載事項の欠落の有無、及び機種依存文字混入の有無を再度チェックし（Ｓ14）、問題が解消している場合には、当該リリース情報等を企業ID及び日時情報に関連付けてリリース情報記憶部16に登録する（Ｓ20）。
【００５３】
リリース情報配信部18は、リリース情報記憶部16に格納された各リリース情報の公開日時設定を定期的にチェックしており（Ｓ22）、公開日時が到来したリリース情報が存在する場合にはこれを抽出し、公開サーバに送信する（Ｓ24）。
【００５４】
これを受けた公開サーバ28は、送信されたリリース情報を内部に保持するリリース情報記憶部（図示省略）に格納する。
そして、つぎにユーザ端末24から新着リリース情報の表示リクエストが送信されると、この新たに追加されたリリース情報を新着ニュースリリース一覧のトップに配置させた画面（Htmlファイル）を生成し、ユーザ端末24に送信する。
【００５５】
この結果、ユーザ端末24には、新たなリリース情報のタイトル、サブタイトル、画像等を含んだ新着リリース一覧画面42が表示される（図２参照）。
そして、ユーザがこの最新のリリース情報40をクリックすると、公開サーバ28は当該リリース情報の本文が記載された画面を生成し、ユーザ端末24に送信する。
この結果、ユーザ端末24のWebブラウザ上には、リリース情報の本文が記載された画面が表示される（図示省略）。
【００５６】
この本文表示画面においては、リリース情報が様々な装飾が施されたリッチテキスト形式で表現されており、静止画像が表示される他、動画ファイルが関連付けられている場合には、動画再生プレーヤが表示されている。
ここでユーザが動画再生プレーヤの再生ボタンをクリックすると、動画サイトから対応の動画ファイルがストリーミング配信され、上記プレーヤ内において再生される。
【００５７】
また、文書ファイルのリンクも明示されているため、一般ユーザがこれをクリックすると、該当の文書ファイルが公開サーバ28からユーザ端末24に送信される。
この結果一般ユーザは、当該文書ファイルをユーザ端末24のハードディスク内に格納したり、対応のアプリケーションプログラムを介してディスプレイに表示させることができる。
【００５８】
このリリース情報にWebビーコンが埋設されている場合には、画像の配信リクエスト共にユーザの IP アドレスやリモートホスト名が企業サーバ32に送信される。
【００５９】
上記のように、企業端末22から送信されたリリース情報は、リリース情報登録部14において機種依存文字混入の有無がチェックされ、機種依存文字が含まれていないことを確認した上でリリース情報記憶部16に格納され、公開日時経過後にはリリース情報配信部18を介して自動的に公開サーバ28に送信され、一般に公開される仕組みを備えている。
このため、従来のように管理スタッフによる目視チェックを事前に行う必要がなくなり、会員企業はサービス提供企業の営業時間外であっても、いつでも自由にリリース情報を公開サーバ28を介して公開可能となる。
【００６０】
なお、公開先として「提携ニュースサイト」が指定されているリリース情報については、従来通り管理スタッフがリリース情報の内容をチェックし、問題がないことを確認した後に、リリース情報配信部18を介して提携ニュースサーバ30に送信されるのが原則である。
ただし、提携ニュースサイトの側でいち早い情報の公開を希望している場合には、管理スタッフのチェックを経ることなく、公開日時が経過した後、直ちに提携ニュースサーバ30に対してリリース情報が配信されるように、リリース情報配信部18を制御することもできる。
【００６１】
つぎに、図５のフローチャートに従い、公開サーバ28において一般公開されたリリース情報を、同時に企業サーバ32において公開する仕組みについて説明する。
まず、ユーザ端末24から企業サーバ32に対して最新情報画面の配信リクエストが送信されると（Ｓ30）、最新情報画面用のHtmlファイルがユーザ端末24に送信される（Ｓ32）。
【００６２】
図１に示すように、この最新情報画面用のHtmlファイル74には、JavaScript等のプログラム言語で記述されたリリース情報要求部用コード76が含まれている。
そして、このHtmlファイル74をユーザ端末24のWebブラウザが読み込んだ時点でリリース情報要求部（図示省略）が起動し（Ｓ34）、センターサーバ12に対して、当該企業に係るリリース情報リストの提供をリクエストする（Ｓ36）。
【００６３】
これを受けたセンターサーバ12の企業別リリース情報供給部20は、リリース情報要求部から送信された企業IDをキーにリリース情報記憶部16を検索し、当該企業IDに関連付けられたリリース情報の中で、公開先として「自社Webサイト」が選択されているものを抽出する（Ｓ38）。
つぎに企業別リリース情報供給部20は、当該リリース情報の登録日時及びタイトルが列記されたリストをHtml形式で生成し、ユーザ端末22に送信する（Ｓ40）。
【００６４】
この結果、図６に示すように、会員企業のWebページである最新情報画面78の一部として、当該リリース情報のリスト80が表示される（Ｓ42）。
この自社リリース情報のリスト80においては、公開サーバ28における公開日及びタイトルが、新しい順にリスト表示されている。
【００６５】
ここでユーザがリスト80中の特定のリリース情報をクリックすると、ユーザ端末24からセンターサーバ12に対して詳細情報の配信リクエストが送信される（Ｓ44）。
これを受けた企業別リリース情報供給部20は、当該リリース情報の詳細情報をリリース情報記憶部16から抽出し、Html形式の詳細画面を生成した後、ユーザ端末24に送信する（Ｓ46）。
この結果、図示は省略したが、ユーザ端末24のWebブラウザ上に目的のリリース情報の詳細画面（タイトル、サブタイトル、本文、静止画像、動画再生プレーヤ、添付ファイル等）が表示される（Ｓ48）。
【００６６】
上記のリリース情報要求部用コード76は、センターサーバ12から企業端末22に送信される画面を通じて予めサービス運営会社から各会員企業の担当者宛に配布されており、担当者はこれをコピーし、自社Webサイト用のHtmlファイル内の該当箇所に貼り付けておくだけで済み、特別なコーディング作業を強いられない。
【図面の簡単な説明】
【００６７】
【図１】この発明に係るリリース情報公開システムの全体構成を示すブロック図である。
【図２】リリース情報公開ページの一例を示す画面レイアウト図である。
【図３】リリース情報の登録から公開に至る処理手順を説明するフローチャートである。
【図４】リリース情報の編集・登録用フォームの一例を示す画面レイアウト図である。
【図５】会員企業のWebページに当該企業に係るリリース情報のリストを表示する際の処理手順を示すフローチャートである。
【図６】会員企業のWebページに当該企業に係るリリース情報のリストが表示された例を示す画面レイアウト図である。
【符号の説明】
【００６８】
10  リリース情報公開システム
12  センターサーバ
14  リリース情報登録部
16  リリース情報記憶部
18  リリース情報配信部
20  企業別リリース情報供給部
22  企業端末
24  ユーザ端末
26  管理端末
28  公開サーバ
30  提携ニュースサーバ
32  企業サーバ
40  リリース情報
42  新着リリース一覧画面
44  アンカーテキスト
46  認証情報入力フォーム
50  リリース情報登録用フォーム
52  リリース内容入力欄
54  公開先選択欄
56  制御メニュー
57  フォント選択ボタン
58  ポイント選択ボタン
59  文字色選択ボタン
60  太字ボタン
61  斜体ボタン
62  下線ボタン
63  左寄せボタン
64  中寄せボタン
65  右寄せボタン
66  動画挿入ボタン
67  動画挿入用の入力フォーム
68  画像挿入ボタン
69  ファイル挿入ボタン
70  メールリンク挿入ボタン
71  ページリンク挿入ボタン
72  登録ボタン
74  最新情報画面用のHtmlファイル
76  リリース情報要求部用コード
78  最新情報画面
80  リリース情報のリスト
【図１】
2011013709.tif 000003
【図２】
2011013709.tif 000004
【図３】
2011013709.tif 000005
【図４】
2011013709.tif 000006
【図５】
2011013709.tif 000007
【図６】
2011013709.tif 000008